(57)【要約】【課題】ディスク判別のためのウォブル信号検出時の精度を向上させ、ノイズに起因する誤判別を低減すること。【解決手段】ウォブル信号生成部２６は、ピックアップ３で変換した電気信号からウォブル信号を生成する。バンドパスフィルタ（ＢＰＦ）２７は、その中心周波数をｆ０（ウォブル周波数）およびそれと異なるｆｎに変更して設定し、ウォブル信号からそれらの周波数成分を抽出する。振幅測定部２８は、抽出された複数の信号について振幅Ａ０，Ａｎを測定する。ディスク判定部３０は、複数の振幅を比較し、振幅Ａ０が振幅Ａｎよりも閾値Ａｔｈ以上大きい場合にウォブル有ディスクと判定する。【選択図】図２
2009193618.tif 000002
【特許請求の範囲】
【請求項１】
光ディスクに形成されたウォブルにより光ディスクの種類を判別可能な光ディスク装置において、
光ディスクにレーザ光を照射し、光ディスクからの反射光を電気信号に変換するピックアップと、
該ピックアップで変換した電気信号からウォブル信号を生成するウォブル信号生成部と、
中心周波数を複数通りに変化させて上記ウォブル信号から所定帯域の信号成分を抽出するバンドパスフィルタと、
該バンドパスフィルタにて抽出された複数の信号のそれぞれの振幅を測定する振幅測定部と、
該振幅測定部にて測定された複数の振幅を比較しウォブルの有無を判定するディスク判定部と、を備えることを特徴とする光ディスク装置。
【請求項２】
請求項１記載の光ディスク装置において、
前記光ディスクに形成されたウォブルの周波数をｆ０とするとき、
前記バンドパスフィルタを、その中心周波数がｆ０およびそれと異なるｆｎに変更して設定し、
前記ディスク判定部は、前記バンドパスフィルタの中心周波数がｆ０のときのウォブル信号の振幅Ａ０と、中心周波数がｆｎのときのウォブル信号の振幅Ａｎとを比較し、振幅Ａ０が振幅Ａｎよりも大きい場合にウォブル有と判定することを特徴とする光ディスク装置。
【請求項３】
請求項２記載の光ディスク装置において、
前記ディスク判定部は、前記振幅Ａ０と前記振幅Ａｎとを比較し、振幅Ａ０が振幅Ａｎよりも閾値Ａｔｈ以上大きい場合にウォブル有と判定することを特徴とする光ディスク装置。
【請求項４】
請求項１ないし３のいずれか１項記載の光ディスク装置において、
前記光ディスクとして、ＤＶＤ−ＲＷ、ＤＶＤ−Ｒ、ＤＶＤ−ＲＯＭを判別することを特徴とする光ディスク装置。
【請求項５】
光ディスクに形成されたウォブルにより光ディスクの種類を判別するディスク判別方法において、
光ディスクにレーザ光を照射し、光ディスクからの反射光を電気信号に変換し、
該変換した電気信号からウォブル信号を生成し、
中心周波数を複数通りに変化させたバンドパスフィルタにより上記ウォブル信号から所定帯域の信号成分を抽出し、
該抽出された複数の信号のそれぞれの振幅を測定し、
該測定された複数の振幅を比較することでウォブルの有無を判定することを特徴とするディスク判別方法。
【発明の詳細な説明】
【技術分野】
【０００１】
本発明は、光ディスクの種類をウォブル信号により判別する光ディスク装置およびディスク判別方法に関するものである。
【背景技術】
【０００２】
光ディスク装置では装着された光ディスクを判別するために、記録層の深さ、ディスク反射率、ウォブル信号の有無、コントロールデータなどを組み合わせて判定する。このうち、ウォブル信号の有無により、記録用ディスクと再生専用ディスクとを判別することができる。すなわち、記録用ディスクであるＤＶＤ−Ｒ／ＲＷやＤＶＤ＋Ｒ／ＲＷにはランドとグルーブが形成され、グルーブは所定の周期で蛇行したウォブル形状となっているのに対し、再生専用ディスクであるＤＶＤ−ＲＯＭにおいてはピットのみで構成され、ウォブル形状を有していない。
【０００３】
ウォブル信号によるディスク判別技術として次のような提案がなされている。特許文献１には、所定のウォブル周期で蛇行したトラックのトラッキング誤差信号に含まれるウォブル周波数成分を抽出することで記録可能な光ディスクを判別することが記載される。特許文献２には、光ディスクからウォブル信号の周期を複数回計測し、測定された周期とその度数とから成る度数分布を作成して、その分布状況に基づいて光ディスクの種類を判別することが記載される。
【０００４】
【特許文献１】特開平４−１２３３２０号公報
【特許文献２】特開２００６−１７９１３８号公報
【発明の開示】
【発明が解決しようとする課題】
【０００５】
光ディスクの種類を判別する際、回転するディスクに光ビームを照射し、その戻り光を信号処理部で処理しウォブル信号を検出する。その際、ウォブル周期に対応する特定の周波数成分を通過させるフィルタ（バンドパスフィルタ）を用いることでウォブル信号を効率よく抽出することができる。
【０００６】
しかしながら、装置のコストダウンのため信号処理回路の簡素化を図ろうとすると、回路の発生するノイズが増大し検出するウォブル信号のＳＮを悪化する。そのような場合に上記フィルタを用いると、ノイズ信号からウォブルと同じ周波数成分（擬似ウォブル信号）を抽出してしまう。その結果、ウォブルの存在しないディスク（例えばＤＶＤ−ＲＯＭ）を誤ってウォブルを有するディスク（例えばＤＶＤ−ＲＷ）と判別することになる。誤判別が生じた場合、別の手法により判別のやり直しを行わねばならず、セットアップ工程の遅れをもたらす。
【０００７】
前記した特許文献１、２には、ウォブル信号検出回路の発生ノイズに起因する誤判別については考慮されていない。特許文献２ではウォブル信号の周波数の分布からディスクの種類を判別するものであるが、ノイズの影響を回避するものではない。
【０００８】
本発明の目的は、ウォブル信号検出時の精度を向上させ、ノイズに起因する誤判別を低減することにある。
【課題を解決するための手段】
【０００９】
本発明は、光ディスクに形成されたウォブルにより光ディスクの種類を判別可能な光ディスク装置において、光ディスクにレーザ光を照射し、光ディスクからの反射光を電気信号に変換するピックアップと、ピックアップで変換した電気信号からウォブル信号を生成するウォブル信号生成部と、中心周波数を複数通りに変化させてウォブル信号から所定帯域の信号成分を抽出するバンドパスフィルタと、バンドパスフィルタにて抽出された複数の信号のそれぞれの振幅を測定する振幅測定部と、振幅測定部にて測定された複数の振幅を比較しウォブルの有無を判定するディスク判定部とを備える。
【００１０】
ここで前記光ディスクに形成されたウォブルの周波数をｆ０とするとき、前記バンドパスフィルタを、その中心周波数がｆ０およびそれと異なるｆｎに変更して設定し、前記ディスク判定部は、前記バンドパスフィルタの中心周波数がｆ０のときのウォブル信号の振幅Ａ０と、中心周波数がｆｎのときのウォブル信号の振幅Ａｎとを比較し、振幅Ａ０が振幅Ａｎよりも大きい場合にウォブル有と判定する。このとき、振幅Ａ０が振幅Ａｎよりも閾値Ａｔｈ以上大きい場合にウォブル有と判定するのが好ましい。
【００１１】
本発明は、光ディスクに形成されたウォブルにより光ディスクの種類を判別するディスク判別方法において、光ディスクにレーザ光を照射し、光ディスクからの反射光を電気信号に変換し、変換した電気信号からウォブル信号を生成し、中心周波数を複数通りに変化させたバンドパスフィルタによりウォブル信号から所定帯域の信号成分を抽出し、抽出された複数の信号のそれぞれの振幅を測定し、測定された複数の振幅を比較することでウォブルの有無を判定する。
【発明の効果】
【００１２】
本発明によれば、ウォブル信号検出時の精度を向上させ、ディスクの誤判別を低減することができる。これにより、セットアップ工程の遅延をなくすことができる。
【発明を実施するための最良の形態】
【００１３】
図１は、本発明の光ディスク装置の一実施例を示す構成図である。
光ディスク装置は光ディスク１をスピンドルモータ２で回転させ、ピックアップ３から光ディスク１にレーザ光を照射し、その戻り光によりデータの読み出しを行う。また、スレッドモータ４でピックアップ３を半径方向に移動させることで読み出すデータの位置を変える。ピックアップ３に入力された戻り光は電気信号に変換され、アナログ信号処理部１０に送られ、データ（情報）の再生を行うと共に、トラッキングエラー信号（ＴＥ信号）やフォーカスエラー信号（ＦＥ信号）などを生成する。マイクロプロセッサ１１はこれらの信号からスピンドルモータ２、ピックアップ３、スレッドモータ４に対する制御量を計算し、スピンドル制御部５、フォーカス制御部６、トラッキング制御部７、スレッドモータ制御部９に信号を送る。信号を受けた各制御部は、その制御信号に従い、各制御対象を駆動する。ピックアップ３はアクチュエータドライバ８を介して駆動する。
【００１４】
さらに本実施例では、アナログ信号処理部１０はピックアップ３からの戻り光からウォブル信号を検出し、マイクロプロセッサ１１はその振幅を判定して装着された光ディスク１の種類を判別する。メモリ１２はディスク判別のために使用するデータを記憶する。マイクロプロセッサ１１はディスク判別が完了すると、その種類に応じて各部の動作条件を設定する。
【００１５】
図２は、図１においてディスク判別に関連する構成図であり、（ａ）はピックアップの内部構成、（ｂ）はアナログ信号処理部とマイクロプロセッサの内部構成である。
（ａ）のピックアップ３では、レーザダイオード（ＬＤ）２１からの出射光をコリメータレンズ２２で平行光に変換し、対物レンズ２３で光ディスク１上に光スポットを形成する。光ディスク１から反射した光は、偏光ビームスプリッタ（ＰＢＳ）２４で受光素子２５の方向に反射される。受光素子２５では反射してきた光を４箇所に分割して電気信号Ａ，Ｂ，Ｃ，Ｄに変換する。変換した電気信号はアナログ信号処理部１０に送る。
【００１６】
（ｂ）のアナログ信号処理部１０では、ピックアップ３から送られた電気信号からウォブル信号Ｗを検出する。まずウォブル信号生成部２６は、各電気信号Ａ，Ｂ，Ｃ，Ｄをウォブル信号Ｗに変換する。その時ウォブル信号Ｗは、Ｗ＝（Ａ＋Ｄ）−（Ｂ＋Ｃ）の計算により生成することができる。バンドパスフィルタ（ＢＰＦ）２７は、ウォブル信号Ｗから所定の帯域の成分を抽出して信号Ｗ’とする。振幅測定部２８は抽出されたウォブル信号Ｗ’の振幅Ａを測定する。具体的には、ウォブル信号Ｗ’のトップエンベロープとボトムエンベロープの差分から振幅Ａを求める。このとき、ＢＰＦ２７の中心周波数ｆを変化させ、それぞれの中心周波数に対するウォブル信号の振幅Ａの測定を行う。
【００１７】
次にマイクロプロセッサ１１では、ウォブル信号の振幅Ａからディスク判別を行う。データ処理部２９はウォブル信号の振幅データを受け取り、メモリ１２に格納する。ＢＰＦ２７の中心周波数ｆを変化させることで、メモリ１２には複数の振幅データＡが格納される。メモリ１２に所定数の振幅データが格納されたら、それらのデータをディスク判定部３０に送る。ディスク判定部３０は、各振幅Ａを比較してディスクの判定を行う。判定結果はデータ処理部２９を通じてメモリ１２に格納され、装置内の各種制御に使用される。
【００１８】
図３は、本実施例におけるディスク判別の原理を説明する図である。
（ａ）は光ディスクから得られるウォブル信号Ｗの周波数特性を示す。ウォブル有ディスク（例えばＤＶＤ−ＲＷ）１０１では、ウォブル周波数ｆ０において振幅のピークを有するが、ウォブル無ディスク（例えばＤＶＤ−ＲＯＭ）１０２では特定の周波数において盛り上がりはなく振幅はほぼフラットである。このウォブル周波数ｆ０は、ＤＶＤ−ＲＷであれば標準速の場合約１４０ｋＨｚ、２倍速の場合約２８０ｋＨｚである。
【００１９】
（ｂ）は比較のために従来の判別法を示す。使用するバンドパスフィルタ（ＢＰＦ）１１０はウォブル周波数ｆ０の成分を抽出するフィルタである。フィルタのバンド幅は例えば１００ｋＨｚとする。ウォブル有ディスク１０１におけるフィルタ通過後の信号Ｗ’は、符号１２０で示すようにウォブル周波数ｆ０にて急峻なピークを持ち、その振幅をＡ０とする。ウォブル無ディスク１０２では、符号１３０のようにｆ０にて緩やかなピークを持ち、その振幅Ａ０’とする。これはＢＰＦ１１０を通過することで、ウォブルと同じ周波数ｆ０成分のノイズが残るためである。振幅Ａ０’の値は信号１２０の振幅Ａ０より小さいが、振幅Ａ０’だけではウォブルの有無を判定することは困難である。このため、ウォブル無ディスク１０２を誤ってウォブル有ディスクと判別する恐れがある。
【００２０】
（ｃ）は本実施例による判別法を示す。本実施例ではＢＰＦ２７として複数（ここでは３種類）のＢＰＦ１１１，１１２，１１３を使用する。ＢＰＦ１１２は通常の設定でありその中心周波数はウォブル周波数ｆ０であるが、他のＢＰＦ１１１，１１３では中心周波数をｆ１，ｆ２に変更している。例えばｆ１＝０．５×ｆ０、ｆ２＝２×ｆ０とする。そして、これらのＢＰＦを通過した信号の振幅を比較する。ウォブル有ディスク３０１における各ＢＰＦ１１１，１１２，１１３通過後の信号Ｗ’を、それぞれ符号１２１，１２２，１２３で示す。振幅測定部２８によりそれらの振幅Ａ１，Ａ０，Ａ２を測定する。ディスク判定部３０によりこれらの振幅を比較すると、ＢＰＦ１１２通過後の振幅Ａ０は他の振幅Ａ１，Ａ２よりも常に大きく、その差は所定値以上になる（Ａ０＞＞Ａ１，Ａ２）。一方、ウォブル無ディスク１０２におけるＢＰＦ１１１，１１２，１１３通過後の信号を、それぞれ符号１３１，１３２，１３３で示す。それらの振幅Ａ１，Ａ０，Ａ２を比較すると、振幅値はほとんど差が生じない。これらより、ウォブル周波数ｆ０を中心周波数とするＢＰＦ１１２の振幅Ａ０が他のＢＰＦ１１１，１１３の振幅Ａ１，Ａ２よりも大きい場合には、そのディスクはウォブル有ディスクであると判定する。なお、ウォブル無ディスクでも振幅Ａ０が他の振幅Ａ１，Ａ２よりもわずかに大きくなる場合があるので、これを除外するため、その差が閾値Ａｔｈ以上となる場合にウォブル有ディスクと判定する。
【００２１】
上記例ではＢＰＦを３種類としたが、ディスクから得られるウォブル信号の周波数特性に合わせてその数を適宜設定すればよい。また各ＢＰＦの中心周波数も適宜設定すればよい。
【００２２】
図４は、本発明によるディスク判別法の一実施例を示すフローチャートである。ここでは、通常の設定の他に複数種類（Ｎ）のＢＰＦを使用する場合である。
Ｓ２００で、装着されたディスクを回転させ、光ビームを照射してその戻り光の信号を入力して、ディスク判別を開始する。
【００２３】
Ｓ２０１では、ＢＰＦ２７の中心周波数ｆをウォブル周波数ｆ０に設定する（通常設定）。
Ｓ２０２では、振幅測定部２８によりフィルタ通過後の振幅Ａ０を測定し、メモリ１２に保存する。
Ｓ２０３で、カウンタｎ＝１とする。
【００２４】
Ｓ２０４では、ＢＰＦ２７の中心周波数ｆをウォブル周波数ｆ０とは異なるｆｎ（初回はｎ＝１）に変更して設定する。例えばｆｎ＝（ｎ＋１）×ｆ０に従って等間隔に設定する。もちろん、不等間隔に設定してもよい。
Ｓ２０５では、フィルタ通過後の振幅Ａｎを測定し、メモリ１２に保存する。
【００２５】
Ｓ２０６では、カウンタｎが指定回数Ｎに達したかどうかを判定する。完了していなければＳ２０７でカウンタｎに１を加算してＳ２０４に戻り、ＢＰＦ２７の中心周波数ｆを次の値に変更する。そしてＳ２０５で振幅Ａｎを測定し、メモリ１２に保存する。以下これを繰り返して、ＢＰＦ２７の設定をＮ回変更して振幅Ａｎを測定する。
Ｓ２０６でカウンタｎが指定回数Ｎに達していれば、Ｓ２０８に進み、メモリ１２から各振幅Ａｎ（ｎ＝１〜Ｎ）を読み出し、その平均値Ａａｖを求める。
【００２６】
Ｓ２０９で、前記通常設定時の振幅Ａ０と平均値Ａａｖとを比較する。それらの差が閾値Ａｔｈ以上の場合はＳ２１０に進み、Ｓ２０２で測定された信号Ａ０はウォブルによるものであると判定し、当該ディスクはウォブル有ディスクと判別する。
一方Ａ０とＡａｖとの差がＡｔｈより小さい場合はＳ２１１に進み、当該ディスクはウォブル無ディスクと判別する。
Ｓ２１２でディスク判別を終了する。
【００２７】
図５は、本発明によるディスク判別法の他の実施例を示すフローチャートである。ここでは、図４においてＮ＝１のＢＰＦを使用する場合である。
Ｓ３００で、装着されたディスクを回転させ、光ビームを照射してその戻り光の信号を入力して、ディスク判別を開始する。
【００２８】
Ｓ３０１で、ＢＰＦの中心周波数ｆをウォブル周波数ｆ０に設定する（通常設定）。
Ｓ３０２で、フィルタ通過後の振幅Ａ０を測定し、メモリに保存する。
【００２９】
Ｓ３０３で、ＢＰＦの中心周波数ｆをｆ０とは異なるｆ１に変更して設定する。例えばｆ１＝２×ｆ０に設定する。
Ｓ３０４で、フィルタ通過後の振幅Ａ１を測定し、メモリに保存する。
【００３０】
Ｓ３０５で、メモリから振幅Ａ０，Ａ１を読み出し比較する。それらの差が閾値Ａｔｈ以上の場合はＳ３０６に進み、Ｓ３０２で測定された信号Ａ０はウォブルによるものであると判定し、当該ディスクはウォブル有ディスクと判別する。
一方Ａ０とＡ１の差がＡｔｈより小さい場合はＳ３０７に進み、当該ディスクはウォブル無ディスクと判別する。
Ｓ３０８でディスク判別を終了する。
【００３１】
この判別法によれば、ＢＰＦを２種類用いるだけなので、判別のための測定時間を短縮できる効果がある。
【００３２】
上記図４と図５において、判定のための比較演算は適宜変更して用いることができる。Ｓ２０８では、各振幅Ａｎ（ｎ＝１〜Ｎ）の平均値Ａａｖを用いたが、各振幅Ａｎ（ｎ＝１〜Ｎ）の最大値Ａｍａｘを求めて振幅Ａ０と比較するようにしてもよい。また、Ｓ２０９やＳ３０５では、Ａ０とＡａｖ（Ａ１）の差を閾値Ａｔｈと比較したが、Ａ０とＡａｖ（Ａ１）の比を閾値Ａｔｈ’と比較するようにしてもよい。
【００３３】
図６は、ＢＰＦを変えて測定したウォブル信号の振幅の一例を示す図である。測定ディスクはＤＶＤ−ＲＷ（ウォブル有）とＤＶＤ−ＲＯＭ（ウォブル無）である。横軸はＢＰＦの中心周波数ｆの設定値で、ｆ／ｆ０＝１，２，４，８と不等間隔に変化させている。ここにｆ０はＤＶＤ−ＲＷのウォブル周波数で、約２８０ｋＨｚ（２倍速時）である。ＤＶＤ−ＲＷ（符号４０１で示す）では、ｆ／ｆ０＝１（通常の設定）のとき振幅が増大するが、それ以外では小さな値となる。これに対しＤＶＤ−ＲＯＭ（符号４０２）では振幅に顕著な差は見られない。この測定結果からディスク判別を行うための閾値は、振幅差についてはＡｔｈ＝１００ｍＶ、振幅比についてはＡｔｈ’＝１．３とするのが好適である。
【００３４】
以上述べたように、本実施例によれば、光ディスクのウォブル有り無しの判定を、ウォブル信号を検出するＢＰＦの中心周波数を変化させ、得られる振幅を比較して行う。これにより、ノイズに起因する誤判別を低減することができる。本実施例ではＤＶＤ−ＲＷ、ＤＶＤ−ＲＯＭの判別を例に説明したが、ＤＶＤ−Ｒ、ＤＶＤ＋ＲＷ、ＤＶＤ＋Ｒの判別についてもそれらのウォブル周波数に合わせてＢＰＦの中心周波数を設定することで、同様に適用することができる。
【図面の簡単な説明】
【００３５】
【図１】本発明の光ディスク装置の一実施例を示す構成図。
【図２】図１においてディスク判別に関連する構成図。
【図３】本実施例におけるディスク判別の原理を説明する図。
【図４】ディスク判別法の一実施例を示すフローチャート。
【図５】ディスク判別法の他の実施例を示すフローチャート。
【図６】ＢＰＦを変えて測定したウォブル信号の振幅の一例を示す図。
【符号の説明】
【００３６】
１…光ディスク、
２…スピンドルモータ、
３…ピックアップ、
４…スレッドモータ、
１０…アナログ信号処理部、
１１…マイクロプロセッサ、
１２…メモリ、
２５…受光素子、
２６…ウォブル信号生成部、
２７…バンドパスフィルタ（ＢＰＦ）、
２８…振幅測定部、
２９…データ処理部、
３０…ディスク判定部。
【図１】
2009193618.tif 000003
【図２】
2009193618.tif 000004
【図３】
2009193618.tif 000005
【図４】
2009193618.tif 000006
【図５】
2009193618.tif 000007
【図６】
2009193618.tif 000008